(57)【要約】【課題】Ｘ線管と検出器との複数のペアを装備するマルチチューブタイプＸ線ＣＴ装置において、他方のペアのＸ線管からのＸ線に由来する散乱線の影響を低減すること。【解決手段】Ｘ線ＣＴ装置は、Ｘ線管１２１、１２２と、スリット機構１６１、１６２と、Ｘ線管とペアを構成するＸ線検出器１３１、１３２と、Ｘ線管とＸ線検出器とをスライス方向と平行な回転軸周りに回転自在に支持する支持機構１１と、ペアを構成するＸ線管以外のＸ線管で発生されたＸ線に由来する散乱線成分を軽減するためにスリット機構を通過したＸ線が直接的に照射される領域内に位置する検出素子各々のデータを領域の外側であって同じチャンネルに関する少なくとも一つの検出素子のデータにより補正する補正部２２１と、補正されたデータに基づいて画像データを再構成する再構成部２３とを具備する。【選択図】      図１
2007044496.tif 000002
【特許請求の範囲】
【請求項１】
複数のＸ線管と、
前記複数のＸ線管にそれぞれ設けられるスリット幅可変の複数のスリット機構と、
前記複数のＸ線管と複数のペアを構成する複数のＸ線検出器と、前記Ｘ線検出器各々はチャンネル方向とスライス方向とに関してマトリクス状にアレイされた複数の検出素子を有する、
前記Ｘ線管と前記Ｘ線検出器とを、前記スライス方向と平行な回転軸周りに回転自在に支持する支持機構と、
前記ペアを構成するＸ線管以外のＸ線管で発生されたＸ線に由来する散乱線成分を軽減するために、前記スリット機構を通過したＸ線が直接的に照射される領域内に位置する検出素子各々のデータを、前記領域の外側であって同じチャンネルに関する少なくとも一つの検出素子のデータにより補正する補正部と、
前記補正されたデータに基づいて画像データを再構成する再構成部とを具備することを特徴とするＸ線ＣＴ装置。
【請求項２】
複数のＸ線管と、
前記複数のＸ線管にそれぞれ設けられるスリット幅可変の複数のスリット機構と、
前記複数のＸ線管と複数のペアを構成する複数のＸ線検出器と、前記Ｘ線検出器各々はチャンネル方向とスライス方向とに関してマトリクス状にアレイされた複数の検出素子を有する、
前記Ｘ線管と前記Ｘ線検出器とを、前記スライス方向と平行な回転軸周りに回転自在に支持する支持機構と、
前記スリット機構を通過したＸ線が直接的に照射される領域内に位置する検出素子各々の投影データを、前記領域の外側であって同じチャンネルに関する少なくとも一つの検出素子の散乱線データにより補正する補正部と、
前記複数のペアのうち単一のペアを用いてデータ収集を行う第１のモードのもとでは、前記補正を受けない投影データに基づいて画像データを再構成し、前記複数のペアを用いてデータ収集を行う第２のモードのもとでは、前記補正された投影データに基づいて画像データを再構成する再構成部とを具備することを特徴とするＸ線ＣＴ装置。
【請求項３】
複数のＸ線管と、
前記複数のＸ線管にそれぞれ設けられるスリット幅可変の複数のスリット機構と、
前記複数のＸ線管と複数のペアを構成する複数のＸ線検出器と、前記Ｘ線検出器各々はチャンネル方向とスライス方向とに関してマトリクス状にアレイされた複数の検出素子を有する、
前記Ｘ線管と前記Ｘ線検出器とを、前記スライス方向と平行な回転軸周りに回転自在に支持する支持機構と、
スキャン条件の設定を支援するために、前記複数のペアのうち単一のペアを用いてデータ収集を行う第１のモードのもとでは、前記Ｘ線検出器の有効領域の全域に対応する撮影スライス厚と撮影スライス数との組み合わせに関する複数の候補を用意し、前記複数のペアを用いてデータ収集を行う第２のモードのもとでは、前記Ｘ線検出器の少なくとも両端２列の検出素子を除く有効領域の一部分に対応する複数の候補を用意する設定支援部と、
ユーザインストラクションに従って選択された撮影スライス厚と撮影スライス数との組み合わせに従って前記スリット機構を制御する制御部と、
前記スリット機構を通過したＸ線が直接的に照射される前記有効領域の一部分内に位置する検出素子各々のデータを、前記一部分の外側であって同じチャンネルに関する少なくとも一つの検出素子のデータにより補正する補正部と、
前記第２モードのもとでは、前記補正されたデータに基づいて画像データを再構成し、前記第１モードのもとでは、前記補正を受けないデータに基づいて画像データを再構成する再構成部とを具備することを特徴とするＸ線ＣＴ装置。
【請求項４】
複数のＸ線管と、
前記複数のＸ線管にそれぞれ設けられるスリット幅可変の複数のスリット機構と、
前記複数のＸ線管と複数のペアを構成する複数のＸ線検出器と、前記Ｘ線検出器各々はチャンネル方向とスライス方向とに関してマトリクス状にアレイされた複数の検出素子を有する、
前記Ｘ線管と前記Ｘ線検出器とを、前記スライス方向と平行な回転軸周りに回転自在に支持する支持機構と、
前記複数のペアのうち単一のペアを用いてデータ収集を行う第１のモードのもとでは、前記Ｘ線検出器の有効領域の全域にＸ線を照射するために前記スリット機構を制御し、前記複数のペアを用いてデータ収集を行う第２のモードのもとでは、前記Ｘ線検出器の少なくとも両端２列を除く有効領域の一部分にＸ線を照射するために前記スリット機構を制御する制御部と、
前記スリット機構を通過したＸ線が直接的に照射される前記一部分内に位置する検出素子各々のデータを、前記領域の外側であって同じチャンネルに関する少なくとも一つの検出素子のデータにより補正する補正部と、
前記第２モードのもとでは、前記補正されたデータに基づいて画像データを再構成し、前記第１モードのもとでは、前記補正を受けないデータに基づいて画像データを再構成する再構成部とを具備することを特徴とするＸ線ＣＴ装置。
【請求項５】
前記補正部は、前記投影データの値から前記散乱線データの値を減算することを特徴とする請求項１記載のＸ線ＣＴ装置。
【請求項６】
前記補正部は、前記投影データの値から、前記同じチャンネルに関する両端の検出素子からの散乱線データの平均値を減算することを特徴とする請求項１記載のＸ線ＣＴ装置。
【請求項７】
前記補正部は、前記投影データの値から、前記同じチャンネルに関する両端の検出素子の一方の散乱線データを減算することを特徴とする請求項１記載のＸ線ＣＴ装置。
【請求項８】
前記補正部は、前記投影データの値から、前記同じチャンネルに関する近傍の検出素子の散乱線データの値を減算することを特徴とする請求項１記載のＸ線ＣＴ装置。
【請求項９】
前記ペアを構成する前記Ｘ線管の焦点と前記Ｘ線検出器の中心とを結ぶ撮影軸が、前記他のペアを構成する前記Ｘ線管の焦点と前記Ｘ線検出器の中心とを結ぶ撮影軸と、前記回転軸において直交することを特徴とする請求項１記載のＸ線ＣＴ装置。
【発明の詳細な説明】
【技術分野】
【０００１】
本発明は、Ｘ線管と検出器とのペアを複数装備するマルチチューブタイプのＸ線ＣＴ装置に関する。
【背景技術】
【０００２】
従来、Ｘ線ＣＴ装置（コンピュータ断層撮影装置）は、Ｘ線管で発生させたＸ線を被検体に照射し、被検体を透過したＸ線をＸ線検出器で検出し、検出したデータをコンピュータ装置により再構成処理して断層像を得るようにしている。また、Ｘ線管と検出器のペアを２ペア以上用意し、円環状の回転架台にＸ線管と検出器のペアを複数搭載することで、架台の回転角度を小さくするようにした多管球式のＸ線ＣＴ装置も知られている。
【０００３】
多管球式のＸ線ＣＴ装置としては、例えば特許文献１に記載のものがあり、この文献では、治療用のＸ線管と映像用のＸ線管を有する例が示されている。ところで、Ｘ線管と検出器のペアを２ペア以上搭載した多管球式のＸ線ＣＴ装置においては、ペアとなるＸ線管からの直接線と、ペア以外のＸ線管からの散乱線が検出器に到達することがあり、かつ直接線と散乱線は特性として大きな違いはないため、これらを分離することは困難であった。このため、ペア以外のＸ線管からの散乱線によって再構成画像の画質に悪影響を与える。
【０００４】
従来、Ｘ線管とＸ線検出器のペアを２ペア以上搭載した多管球式Ｘ線ＣＴ装置においては、ペア以外のＸ線管からの散乱線が悪影響を及ぼし、再構成画像の画質が低下するという不具合があった。
【特許文献１】特開２００４−７３４０６号公報
【発明の開示】
【発明が解決しようとする課題】
【０００５】
本発明の目的は、Ｘ線管と検出器との複数のペアを装備するマルチチューブタイプＸ線ＣＴ装置において、他方のペアのＸ線管からのＸ線に由来する散乱線の影響を低減することにある。
【課題を解決するための手段】
【０００６】
本発明は、ある局面において、複数のＸ線管と、前記複数のＸ線管にそれぞれ設けられるスリット幅可変の複数のスリット機構と、前記複数のＸ線管と複数のペアを構成する複数のＸ線検出器と、前記Ｘ線検出器各々はチャンネル方向とスライス方向とに関してマトリクス状にアレイされた複数の検出素子を有する、前記Ｘ線管と前記Ｘ線検出器とを、前記スライス方向と平行な回転軸周りに回転自在に支持する支持機構と、前記ペアを構成するＸ線管以外のＸ線管で発生されたＸ線に由来する散乱線成分を軽減するために、前記スリット機構を通過したＸ線が直接的に照射される領域内に位置する検出素子各々のデータを、前記領域の外側であって同じチャンネルに関する少なくとも一つの検出素子のデータにより補正する補正部と、前記補正されたデータに基づいて画像データを再構成する再構成部とを具備するＸ線ＣＴ装置を提供する。
【発明の効果】
【０００７】
本発明によれば、Ｘ線管と検出器との複数のペアを装備するマルチチューブタイプＸ線ＣＴ装置において、他方のペアのＸ線管からのＸ線に由来する散乱線の影響を低減することができる。
【発明を実施するための最良の形態】
【０００８】
以下、この発明の一実施形態について図面を参照して詳細に説明する。  
図１は本発明のＸ線ＣＴ装置の一実施形態の全体構成を示す構成図である。図１において、本実施形態のＸ線ＣＴ装置（Ｘ線コンピューテッドトモグラフィ装置）は、ガントリ１０とコンピュータ装置２０と寝台（図示せず）とを有している。ガントリ１０は多管球式であり、Ｘ線管とＸ線検出器との複数のペアが搭載されている。本実施形態では、２管球式として説明する。
【０００９】
ガントリ１０には回転架台１１が設けられ、図示しない回転機構によって回転軸Ｒを中心に回転する。なお、回転軸Ｒに平行な方向をスライス方向という。回転架台１１には、Ｘ線管１２１とＸ線検出器１３１との第１のペアと、Ｘ線管１２２とＸ線検出器１３２との第２のペアが搭載される。第１のペアの撮影軸と第２のペアの撮影軸とは典型的には９０度で交差する。撮影軸はＸ線焦点と検出器中心とを結ぶ線である。回転架台１１の中心部分は開口して、そこに寝台の天板１４に載置された被検体Ｐが挿入される。
【００１０】
Ｘ線検出器１３１，１３２には、Ｘ線管１２１，１２２に対向してＸ線を集束するためのコリメータ１５１，１５２がそれぞれ設けられている。また、Ｘ線管１２１，１２２各々には、スリット機構１６１、１６２が配置される。スリット機構１６１、１６２は、少なくとも２枚の鉛製のスリット板を有する。２枚のスリット板の間のスリットの幅を調整するために、スリット板は回転軸Ｒに平行に移動自在に支持される。スリット幅により、Ｘ線厚が決定される。
【００１１】
Ｘ線検出器１３１，１３２の出力は、それぞれデータ収集部１７１，１７２に送られ、コンピュータ装置２０の前処理部（後述）に供給される。また、ガントリ１０には、制御部１８が設けられ、Ｘ線管１２１，１２２の管電圧の制御や回転架台１１の回転制御等を行う。
【００１２】
一方コンピュータ装置２０は、中央制御部２１を有し、それに対して前処理部２２、再構成処理部２３、画像表示部２４、操作部２５等がデータ／制御バスライン２０１を介して接続されている。被検体Ｐを透過したＸ線はＸ線検出器１３１，１３２で検出され電気信号に変換され、データ収集部１７１，１７２で増幅され、かつデジタルデータに変換され、撮影データが前処理部２２に供給される。前処理部２２では、信号強度の補正や信号欠落の補正等の処理を行うほか、散乱線補正処理部２２１を有し、主に他のペアのＸ線管からのＸ線に由来する散乱線の影響を軽減して、前処理部２２によって処理された撮影データをバスライン２０１上に出力する。
【００１３】
中央制御部２１は、コンピュータ装置２０の各部の動作や、ガントリ１０の制御部１８を制御するものであり、再構成処理部２３は、投影データに基づいて断層画像データを再構成する。画像表示部２４は、医用画像等を表示するディスプレイを含み、操作部２５は医師による患者の状態や検査方法等の情報を入力するものである。
【００１４】
図２は、図１のＸ線管１２１、１２２及び検出器１３１、１３２の構成を拡大して示すもので、Ｘ線管１２１とＸ線検出器１３１との第１のペアと、Ｘ線管１２２とＸ線検出器１３２との第２のペアの構成を示すものである。尚、図２ではＸ線管１２１とＸ線検出器１３１の第１のペアを代表的に図示しているが、Ｘ線管１２２とＸ線検出器１３２の第２のペアは、第１のペアとに対して９０度ずれて配置されている点以外は同一の構成であるため、図２では図示は省略する。
【００１５】
図２において、Ｘ線管１２１に対向してスリット１６１が配置されており、このスリット１６１によりＸ線厚を規制するようにしている。また、Ｘ線検出器１３１は、チャンネル方向（ＣＨ）及びスライス方向（Ｌ）に配列された多数の検出素子で構成され、入射Ｘ線x１を検出する。
【００１６】
また、Ｘ線検出器１３１には、チャンネル（ＣＨ）方向に金属板コリメータ１５１（図１参照）が設置されており、ペアとなるＸ線管方向からのＸ線を受光する構造になっている。さらに、多管球式のＸ線ＣＴ装置は、単管球式に比べて回転角度が小さくなり、投影データの取得に要する時間を短縮できるため時間分解能を向上することができる。
【００１７】
Ｘ線検出器１３１，１３２は、スライス方向中央部Ｌ０にある検出素子群によって、ペアとなるＸ線管１２１，１２２からのＸ線（直接線）と他ペアのＸ線管からの散乱線を検出するとともに、各列の外側の領域Ｌ１，Ｌ２に位置する検出素子群によって、他ペアのＸ線管からの散乱線を検出するようにしている。
【００１８】
図３はペア以外のＸ線管からの散乱線の影響を説明する説明図である。図３の場合、Ｘ線管１２１から照射されＸ線はＸ線検出器１３１で検出され、Ｘ線管１２２から照射されたＸ線はＸ線検出器１３２で検出される。
【００１９】
一方、検出器１３２には他方のペアのＸ線管１２１からのＸ線が被検体Ｐの表面及び内部ｐ１で散乱して入射する。同様に、検出器１３１には他のペアのＸ線管１２２からのＸ線が被検体Ｐの表面及び内部部分p１で散乱して入射する。被検体Ｐでの散乱線は、放射状に散乱し大部分はコリメータ１５１，１５２によって遮られるが、一部の散乱線（例えばｄ１，ｄ２）はコリメータ１５１，１５２を通って検出器１３１,１３２に入射する。散乱角度αで散乱した散乱線ｄ１はＸ線管１２１からのＸ線が被検体Ｐの内部部分ｐ１に当たって散乱するもので、９０度程度の屈折角度αで散乱し、Ｘ線検出器１３２に入射する。散乱線ｄ２はＸ線管１２２らのＸ線が被検体Ｐの内部部分ｐ１に当たって散乱するもので、９０度程度の屈折角度αで散乱し、Ｘ線検出器１３１に入射する。なお、他方のペアのＸ線管１２２（１２１）で発生したＸ線が被検体Ｐの体表面で散乱し、減衰することなく直接的に検出器１３１（１３２）に入射する散乱線が最も悪影響を招来する。
【００２０】
図４を参照して散乱線の発生状況をより具体的に説明する。図４はＸ線管１２１からのＸ線が被検体の内部部分ｐ１で散乱して他方のペアのＸ線検出器１３２に入射する様子を模式的に示したものである。
【００２１】
Ｘ線検出器１３２には、ペアを構成するＸ線管１２２からのＸ線ｘ２（直接線）が入射するが、他のペアのＸ線管１２１からのＸ線が被検体の内部部分ｐ１に当たると、角度αの屈折角で散乱し、散乱線ｄ１が発生する。この散乱線ｄ１は、Ｘ線検出器１３２のスライス方向（Ｌ）にも広がって散乱し、角度βで示すように５〜６度程度の広がりをもって検出器１３２に入射する。
【００２２】
αはβに対して十分大きい（α≫β）ため、散乱線ｄ１は検出器１３１，１３２の同一チャンネルにある検出素子の列の端から端まで十分に当方的（一様）に当たる。またＸ線ｘ１は、所定のスライス厚（Ｔ）を有しているため、散乱ポイントはスライス厚分あると考えられ、散乱線量はこの散乱ポイント分の積分値となる。よって、たとえ特異的に特定の方向に強く散乱するポイントがあったとしても、スライス方向にある検出素子の端から端までの散乱線を積分することでその特異性は薄められ、スライス方向の散乱線強度の分布は一様になる。
【００２３】
さらに、検出器１３１，１３２のスライス方向の両端部に位置する検出素子には、散乱線のみが入射し、Ｘ線管１２１，１２２からの直接線は入射しない。これを図５を参照して説明する。図５は、散乱線ｄ１がＸ線検出器１３２に照射される様子を示した図であり、散乱線源をＰ１とし、Ｘ線検出器１３２をスライス方向に切断して見た場合の図である。この図５から分かるように、Ｘ線検出器１３２のスライス方向の中央領域Ｌ０には、Ｘ線管１２２からのＸ線束ｘ２（直接線）と散乱線ｄ１が当たるが、スライス方向の両端領域Ｌ１，Ｌ２には散乱線ｄ１のみが当たる。したがって、領域Ｌ１，Ｌ２の検出素子ではＸ線の散乱線のみを測定することができる。
【００２４】
本実施形態では、スリット機構１６１、１６２のスリットを通して放射されるＸ線を検出器１３１，１３２で検出する際、スライス方向の端部の領域Ｌ１，Ｌ２の検出素子を散乱線測定用に用いたものであり、スライス方向の中央領域Ｌ０と、外側の領域Ｌ１,Ｌ２では散乱線量に大きな違いは無いことを利用して、同一チャンネルの中央部の検出素子によるＸ線の測定値から、同一チャンネルの両端部にある検出素子によるＸ線の測定値を差し引くことで散乱線の影響を軽減することができる。
【００２５】
即ち、検出器１３１，１３２のスライス方向の外側領域Ｌ１,Ｌ２にある検出素子で検出したＸ線データを利用して散乱線の影響を軽減するように補正するものであり、この補正は前処理部２２の散乱線補正処理部２２１で行う。散乱線補正処理部２２１は、外側領域Ｌ１,Ｌ２の素子で検出したＸ線データを列の素子数分積分して散乱線のデータを算出し、検出器１３１，１３２のスライス方向中央領域Ｌ０の素子で検出したＸ線データの値から散乱線データの値を差し引き、その結果を基にして撮影データを得てバスライン２０１上に出力する。
【００２６】
図６は、散乱線補正処理部２２１の動作を説明する図であり、縦軸に検出器１３１，１３２でのデータ値を示し、横軸は検出器１３１，１３２のスライス番号を表している。  検出器１３１，１３２の中央領域Ｌ０で検出したＸ線の直接線の値からＸ線照射領域Ｌ０内の検出素子各々のデータ値からＸ線照射領域の外側の領域Ｌ１,Ｌ２内の検出素子各々の散乱線成分に関するデータ値から減算する。
【００２７】
尚、Ｘ線検出器１３１，１３２のスライス方向の幅は、スリット１６２の幅で規定されるＸ線のスライス厚（Ｔ）の最大設定値よりもやや大きくする必要がある。スリットを絞った場合は、同一チャンネルにおいて直接線が当る中央部領域Ｌ０のすぐ外側の領域をＬ１，Ｌ２として散乱線の測定用に利用することで、散乱線を精度良く測定することができる。
【００２８】
本実施形態による散乱線補正に関して、より詳細に説明する。図７に示すように、スキャニングに先立って、スキャン条件が設定される。スキャン条件設定支援部２２は、ユーザによるスキャン条件の設定を支援するために設けられる。スキャン条件設定支援部２２は、被検体の体格、検査部位等に応じた複数のスキャンプランを提供する。スキャンプランには、スキャンモード（シングル／ヘリカル）、１管球スキャニングモードと２管球スキャニングモードとの区別、管電圧、管電流、撮影スライス厚、撮影スライス数、撮影ＦＯＶ等が含まれる。本装置では、いずれか一方のペアは休止させ、他方のペアだけを使ってデータ収集（スキャニング）を行う１管球モードと、２つのペアを使ってデータ収集を行う２管球モードとが選択され得る。
【００２９】
撮影スライス厚と撮影スライス数との組み合わせにより、スリット幅が決定される。それにより検出器１３１、１３２の有効感度領域上にＸ線が照射されるＸ線照射領域が撮影スライス厚×撮影スライス数の幅に制限される。２管球モードのときは、撮影スライス厚と撮影スライス数との組み合わせに関する複数の候補が、検出器１３１、１３２固有の有効感度領域から、散乱線データ収集用として使用される両端２列を除いた領域を最大範囲としてその範囲内で用意される。一方、１管球モードのときは、散乱線補正を行わないので、撮影スライス厚と撮影スライス数との組み合わせに関する複数の候補が、検出器１３１、１３２固有の有効感度領域の全領域を最大範囲としてその範囲内で用意される。
【００３０】
ユーザは操作部２５を操作して、スキャン条件設定支援部２２から提供された撮影スライス厚と撮影スライス数との組み合わせに関する複数の候補から、所望の組み合わせを選択する。選択した撮影スライス厚と撮影スライス数との組み合わせに対応する領域だけにＸ線を照射するために、制御部２１は、スリット機構１６１、１６２を制御して、スリット幅を調整する。１管球モードのときは、検出器１３１、１３２固有の有効感度領域の全領域にＸ線が照射されることがある。
【００３１】
１管球モードでは散乱線補正をしないから、全領域にＸ線を照射することができる。一方、２管球モードのときは当該全領域にＸ線が照射されることはない。２管球モードにおいて、最大照射領域は、図８に示すように、両端２列を除いた領域である。その理由は２管球モードでは両端２列上の検出素子のデータは散乱線補正用データとして使用されることにある。
【００３２】
なお、図８は１０列タイプを例示しているが、４列以上なら何列でも本実施形態を適用可能である。
【００３３】
なお、１管球モードでは、当然にして、他方のペアのＸ線管のＸ線に由来する散乱線が招来する事態は生じない。１管球モードでは、散乱線補正をしないことにより、不要なＳＮ比の低下を防止することができる。
【００３４】
ユーザにより操作部２５上のスキャントリガボタンが押されたとき、スキャニングが開始される。  
制御部２１は、１管球モードと２管球モードとで異なる処理手順を用意する。１管球モードでは散乱線補正をしないから、スキャニングＳ１８において、Ｘ線照射領域内の検出素子のデータ、つまり被検体を透過した画像再構成に要する投影データだけを収集し(acquire)、前処理（Ｓ１９）にかける。当該投影データだけを収集するとは、典型的には、当該投影データだけを記憶し、Ｘ線照射領域の外側のＸ線非照射領域内の検出素子のデータは記憶しないこととして定義される。
【００３５】
２管球モードでは、スキャニングＳ１２において、Ｘ線照射領域内の検出素子の投影データ（インサイドデータともいう）とともに、その外側の両端２列のＸ線非照射領域内の検出素子のデータ（散乱線データまたはアウトサイドデータともいう）が収集される。アウトサイドデータは投影データと等価な前処理にかけられる（Ｓ１３）。例えば、図８の例では、Ｘ線照射領域の外側の検出素子のデータＤ１、Ｄ１０がアウトサイドデータであり、Ｘ線照射領域内の検出素子のデータＤ２−Ｄ９がインサイドデータ（投影データ）である。
【００３６】
散乱線補正処理部２２１は、スリット機構１６１、１６２のスリットを通過したＸ線が直接的に照射されるＸ線照射領域内に位置する検出素子各々のインサイドデータを、Ｘ線照射領域の外側であって、補正対象のデータと同じチャンネルに関する検出素子のアウトサイドデータにより補正する（Ｓ１４、Ｓ１５）。補正に際しては、散乱線補正処理部２２１は、補正モードに応じた補正値をアウトサイドデータからチャンネルごとに決定する。説明の便宜上、図８の例示するように、アウトサイドデータはＤ１、Ｄ１０、インサイドデータＤ２−Ｄ９とする。チャンネルｎについてみると、アウトサイドデータＤ１、Ｄ１０から決定された補正値により、インサイドデータＤ２−Ｄ９の各々の値が補正される。
【００３７】
初期設定されている補正モード１）では、両端のアウトサイドデータＤ１、Ｄ１０の平均値が補正値として決定される。
【００３８】
補正モード２）では、アウトサイドデータＤ１、Ｄ１０の一方が補正値として決定される。例えば、アウトサイドデータＤ１、Ｄ１０の最大値、最小値、又は所定値の近似値が、当該チャンネルｎの補正値として決定される。
【００３９】
補正モード３）では、インサイドデータＤ２−Ｄ５に対する補正値として近傍素子のアウトサイドデータＤ１が割り当てられ、インサイドデータＤ６−Ｄ９に対する補正値として近傍素子のアウトサイドデータＤ１０が割り当てられる。
【００４０】
補正モード４）では、インサイドデータＤ２、Ｄ３に対する補正値として近傍素子のアウトサイドデータＤ１が割り当てられ、インサイドデータＤ８、Ｄ９に対する補正値として近傍素子のアウトサイドデータＤ１０が割り当てられ、中央のインサイドデータＤ４−Ｄ７に対する補正値としてアウトサイドデータＤ１、Ｄ１０の平均値が決定される。
【００４１】
Ｓ１４で決定された補正値に基づいてインサイドデータＤ２−Ｄ９の各々の値が補正される（Ｓ１５）。
【００４２】
再構成処理部２３は、制御部２１の制御のもと、２管球モードでは、Ｓ１５で補正されたインサイドデータ（投影データ）に基づいて画像データを再構成し、１管球モードでは、補正を受けない投影データに基づいて画像データを再構成する（Ｓ１６）。再構成された画像は画像表示部２４に表示される。ユーザは表示された画像を確認して必要に応じて補正モードを変更することができる（Ｓ１７）。
【００４３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４４】
【図１】図１は本発明のＸ線ＣＴ装置の一実施形態を説明する全体構成図。
【図２】図２は同実施形態におけるＸ線ＣＴ装置の主要部の構成を示す斜視図。
【図３】図３は同実施形態におけるＸ線ＣＴ装置の散乱線の影響を説明する説明図。
【図４】図４はＸ線ＣＴ装置の散乱線の発生状況を模式的に説明する説明図。
【図５】図５はＸ線ＣＴ装置の散乱線の発生をＸ線検出器のスライス方向に見たときの状況を説明する説明図。
【図６】図６は同実施形態における散乱線補正処理部の動作を説明する説明図。
【図７】図７は本実施形態によるスキャン条件設定から画像再構成までの一連お流れを示すフローチャート。
【図８】図８は図７のＳ１５の補足図。
【符号の説明】
【００４５】
１０…ガントリ、２０…コンピュータ装置、１１…回転架台、１２１、１２２…Ｘ線管、１３１、１３２…Ｘ線検出器、１４…天板、１５１、１５２…コリメータ、１６１、１６２…スリット機構、１７１、１７２…データ収集部、１８…制御部、２１…中央制御部、２２…前処理部、２３…再構成処理部、２４…画像表示部、２５…操作部、２０１…データ／制御バスライン、２２１…散乱線補正処理部。
【図１】
2007044496.tif 000003
【図２】
2007044496.tif 000004
【図３】
2007044496.tif 000005
【図４】
2007044496.tif 000006
【図５】
2007044496.tif 000007
【図６】
2007044496.tif 000008
【図７】
2007044496.tif 000009
【図８】
2007044496.tif 000010